(57)【要約】【課題】光ピックアップを保持したキャリアブロックを摺動可能に支持するガイドシャフトに焼入れなどによる硬化処理を施したものを採用できるようにし、キャリアブロックによるシーク負荷に対する安定性が保たれ、耐久性を向上したディスク装置を提供する。【解決手段】ターンテーブルおよびクランプヘッドを駆動軸に固定したスピンドルモータをベースフレームの前端部に配設し、且つ、光ピックアップを保持したキャリアブロックを前記ベースフレームに固定されたガイドシャフトにより摺動可能に支持してなり、該キャリアブロックをディスクの直径方向に往復動して情報の記録または再生が可能となるようにしたディスク装置において、硬化処理の施されたガイドシャフトの端部に終端部材を装着し、該終端部材をベースフレームに固定する。【選択図】図１
2007115378.tif 000002
【特許請求の範囲】
【請求項１】
ターンテーブルおよびクランプヘッドを駆動軸に固定したスピンドルモータをベースフレームの前端部に配設し、且つ、光ピックアップを保持したキャリアブロックを前記ベースフレームに固定されたガイドシャフトにより摺動可能に支持してなり、該キャリアブロックをディスクの直径方向に往復動して情報の記録または再生が可能となるようにしたディスク装置において、
硬化処理の施されたガイドシャフトの端部に終端部材を装着し、該終端部材をベースフレームに固定するようにしたことを特徴とするディスク装置。
【請求項２】
ガイドシャフトの端部にボスを形成する一方、前記ガイドシャフトの端部に装着する終端部材に前記ボスの圧入が可能となるようにしたボス孔を形成し、これによりガイドシャフトと終端部材をボス結合して一体化するようにしたことを特徴とする請求項１記載のディスク装置。
【請求項３】
ガイドシャフトの端部にボス孔を形成する一方、前記ガイドシャフトの端部に装着する終端部材に前記ボス孔に圧入が可能となるようにしたボスを形成し、これによりガイドシャフトと終端部材をボス結合して一体化するようにしたことを特徴とする請求項１記載のディスク装置。
【発明の詳細な説明】
【技術分野】
【０００１】
本発明は、各種コンピュータシステムなどの情報機器において、大量の情報を光学的に記録または再生するための記録媒体となるディスク（例えば、ＣＤ−Ｒ／ＲＷ、ＤＶＤ−Ｒ／−ＲＷ／ＲＡＭ／＋Ｒ／＋ＲＷなど）をドライブするディスク装置に関する。
【背景技術】
【０００２】
一般にパーソナルコンピュータ（以下、パソコンという）などにはディスク装置が内蔵されており、このディスク装置においては、光ピックアップをディスクの直径方向に往復動して情報の記録または再生を行うようにしている。このようなディスク装置では、通常、ターンテーブルおよびクランプヘッドがこれを回転するスピンドルモータに固定されており、ターンテーブル上にクランプされたディスクがドライブされる。
【０００３】
一方、光ピックアップはキャリアブロックに保持され、このキャリアブロックがガイドシャフトにより摺動可能に支持されており、これによりキャリアブロックがディスクの直径方向にシーク動作するようにしている。かかる構成においては、ディスクに高密度に記録された情報（ビットパターン）を正確に読み取るため、ディスクに対する光ピックアップのシーク動作位置と、ターンテーブルにクランプされたディスクとの距離が一定となるように光ピックアップとディスクとの相対角度を調整しなければならない。
【０００４】
このようなディスク装置の製造工程において、前述したような調整は、ターンテーブルおよびキャリアブロックなどの組み立てが終了した後、ターンテーブルに位置調整用の基準ディスクをクランプさせ、この基準ディスクからの反射光を光ピックアップで検出する。その際、光ピックアップで検出された基準ディスクからの反射光の角度のずれを測定器で測定しながらレーザ光の角度が規定値となるように光ピックアップの取付角度および基準ディスクに対する距離および傾きを調整する。
【０００５】
この場合、基準ディスクに対する光ピックアップの高さ位置は、光ピックアップを保持したキャリアブロックを支持するガイドシャフトの高さ位置および傾きを調整して所定位置に定めるようにしている。かかる調整機能を実現する構成は、一般にガイドシャフトの端部とベースフレームとの間にバネ材を介在させ、調整ネジのねじ込み量によりガイドシャフトの高さ位置を調整するようにしたものが知られている。
【０００６】
図１０は、このような従来の調整機能の構成の一例を示すので、ベースフレーム１０１の裏面に、一端を固定し開放端がガイドシャフト１０２の端部に位置するように板バネ１０３を配設する一方、前記ガイドシャフト１０２の端部を支える調整プレート１０５を配設する。そして、ベースフレーム１０１の通孔１０１ａから調整ネジ１０４を差し込み、調整プレート１０５のネジ孔１０５ａに螺入してねじ込むことにより、この調整プレート１０５と板バネ１０３の開放端でガイドシャフト１０２の端部が挟持されて定位置に固定されるとともに、調整ネジ１０４のねじ込み量に応じてその高さ位置が決定される。
【０００７】
図１０の構成は、部品点数が多くなり、この部品の加工処理が必要となることからコストが上昇するという問題がある。また、図１１に示す構成は、ガイドシャフト１０２に通孔１０２ａを形成し、この通孔１０２ａから差し込んだ調整ネジ１０４をベースフレーム１０１に形成したネジ孔１０１ｂに螺入してねじ込むようにしたもので、この調整ネジ１０４と板バネ１０３でガイドシャフト１０２の端部が挟持されて定位置に固定される。したがって、部品点数を少なくできるものの、調整ネジ１０４のねじ込み量に応じてガイドシャフト１０２の高さ調整が可能となるが、調整ネジ１０４のネジ端部がベースフレーム１０１上に突出し、ディスクＤの記録面を損傷する危険がある。
【０００８】
かかる問題を解決するため、本願出願人は、図１２に示すような簡素な構成により従来の問題を解決するようにした。即ち、同図に示す構成では、ベースフレーム１０１に形成した通孔１０１ｃから調整ネジ１０４を差し込み、ガイドシャフト１０２の端部を断面Ｄ状に形成した軸端切削部１０２ｂに形成したネジ孔１０２ｃに螺入し、ベースフレーム１０１と前記軸端切削部１０２ｂとの間にコイルバネ（あるいは板バネ）１０６介在させるようにしたものである。これにより、調整ネジ１０４が不必要に突出することなく、簡素な構成により製作コストの上昇を抑えることができた。
【特許文献１】特開２００２−３６７３０１号公報
【発明の開示】
【発明が解決しようとする課題】
【０００９】
ところで、ディスク装置においてガイドシャフトを主体に構成される機構部分は、同装置において最も大きく激しい機械的動作が発生する部分であり、この動作を支持するガイドシャフトはきわめて高い機械精度を要求されるとともに、耐久性の高いものでなければならない。このガイドシャフトが湾曲しているようなことがあると光ピックアップのビームスポットがディスクの記録面上に正確に結ばれなかったり、ピットから外れてしまうことになる。かかる不具合は、近年、記録密度が極端に高くなりつつあるディスクに対しては特に重要な問題であり、シーク負荷に対する安定性を保つとともに耐久性を向上し、このような不具合の発生を確実に防止しなければならない。
【００１０】
そこで、ガイドシャフトに高い表面硬度と平滑性に優れたものを採用することが必要条件となり、焼入れなどの硬化処理を施した素材（例えば、ＳＵＳ−４０２Ｊ２など）を採用することが理想となる。ところが、図１２に示した構成の場合、ガイドシャフトに軸端切削部を形成するとともに、焼入れなどの後に高硬度となったこの部分に直径１ｍｍ以下のネジ孔をタッピング加工により施すことは到底不能である。そこで、図１２に示す構成を実施する場合は、タッピング加工が可能である硬度の低い材質のガイドシャフトを採用することになり、シーク負荷に対する安定性および耐久性を向上することができなかった。
【課題を解決するための手段】
【００１１】
そこで本発明は、以下に述べる各手段により上記課題を解決するようにした。即ち、請求項１記載の発明では、ターンテーブルおよびクランプヘッドを駆動軸に固定したスピンドルモータをベースフレームの前端部に配設し、且つ、光ピックアップを保持したキャリアブロックを前記フレームに固定されたガイドシャフトにより摺動可能に支持してなり、該キャリアブロックをディスクの直径方向に往復動して情報の記録または再生が可能となるようにしたディスク装置において、硬化処理の施されたガイドシャフトの端部に終端部材を装着し、該終端部材をベースフレームに固定するようにした。
【００１２】
請求項２記載の発明では、上記請求項１記載の発明において、ガイドシャフトの端部にボスを形成する一方、前記ガイドシャフトの端部に装着する終端部材に前記ボスの圧入が可能となるようにしたボス孔を形成し、これによりガイドシャフトと終端部材をボス結合して一体化する。
【００１３】
請求項３記載の発明では、上記請求項１記載の発明において、ガイドシャフトの端部にボス孔を形成する一方、前記ガイドシャフトの端部に装着する終端部材に前記ボス孔に圧入が可能となるようにしたボスを形成し、これによりガイドシャフトと終端部材をボス結合して一体化する。
【発明の効果】
【００１４】
本発明によれば、光ピックアップを保持したキャリアブロックを摺動可能に支持するガイドシャフトに焼入れなどによる硬化処理を施したものを採用することができ、これによりシーク負荷に対する安定性が保たれ、耐久性を向上したディスク装置を提供することができる。
【発明を実施するための最良の形態】
【００１５】
以下、本発明の実施の形態を図にもとづいて詳細に説明する。なお、以下の説明では、ディスクトレイを採用したドロワ方式のディスク装置を実施例としているが、スロットイン方式のディスク装置にも実施することが可能であり、この場合においても本発明の要旨となる構成を変更するものではない。
【００１６】
図１は、本発明を実施したディスク装置１の外観を示す斜視図であり、ディスクトレイ２はディスクを収容するため浅皿状に形成されており、その中央に、直下に配したスピンドルモータ３の駆動軸に固定されたターンテーブル４が配置され、このターンテーブル４と一体に構成されたクランプヘッド５によりディスクの中心孔をクランプし、回転力を伝達するようにしている。
【００１７】
符号６は光ピックアップであり、ディスクトレイ２の裏面に構成された駆動機構によりディスクの直径方向に往復動し、そのビームレンズ６ａからディスクにレーザビームが照射される。また、ディスクトレイ２の前端にはベゼル７が装着されており、ディスクトレイ２のロード状態を解除するための押釦８ならびにインジケータ７ａが表面に臨み、ディスクトレイ２のロック状態を強制的に解除するための通孔７ｂが形成されている。
【００１８】
このように構成されディスクトレイ２は、図２に示すようにその両側をガイドレール９により遊嵌状態で支持されており、このガイドレール９は、ベースシャーシ１１とカバーシャーシ１２で一体構成されるシャーシケース１０の前記ベースシャーシ１１の側壁に固定された支持レール１３にスライド可能に支持されている。したがって、ガイドレール９と支持レール１３とによりガイドレール機構が構成され、ディスクトレイ２をロードしたとき、このディスクトレイ２の両側がガイドレール機構で支持される状態となる。
【００１９】
図３は、前記ディスクトレイ２の裏面に構成された機構要素の配置状態を示すもので、ディスクトレイ２の中央部にはディスクを回転駆動するスピンドルモータ３が支持板１４により枠部材１５に固定されている。前記枠部材１５は合成樹脂により一体成型されたもので、図４に示すように前記スピンドルモータ３の左右から派生する状態で脚部１５ａ・１５ｂが形成され、ガイドシャフト１６の端部の嵌入孔１５ｃが形成されている。
【００２０】
図５は、枠部材１５に機構要素の要部が組み立てられた状態を示す図であり、同図に示すように枠部材１５の脚部１５ａにはスクリューシャフト１８が配され、このスクリューシャフト１８にはギヤトレイン１９を介してスレッドモータ２０の回転力が伝達される。一方、光ピックアップ６を保持したキャリアブロック２１は、一体に成形されたブラケット２１ａがガイドシャフト１７に摺動可能に軸支され、ブラケット２１ｂ・２１ｃがガイドシャフト１６に摺動可能に軸支されており、キャリアブロック２１に固定されたナット部材２２がスクリューシャフト１８のリード溝１８ａに噛合している。したがって、スクリューシャフト１８が回転することにより、キャリアブロック２１が前進または後退することになる。なお、機構要素がこのように組み立てられた枠部材１５はベースフレーム２３に固定され、さらにこのベースフレーム２３はディスクトレイ２へネジ止め２４ａ・２４ｂ・２４ｃされて緩衝支持される。
【００２１】
つぎに、前記キャリアブロック２１のブラケット２１ａ・２１ｂ・２１ｃを軸支する本発明によるガイドシャフトの構成を詳細に説明する。なお、本発明は、上述した実施例の場合、ガイドシャフト１６の片端とガイドシャフト１７の両端に同一構成で実施されるが、前記ガイドシャフト１７の一端に実施した状態を代表例として説明する。
【００２２】
図６は、本発明の第１実施例であり、予め焼入れなどにより硬化処理が施されたガイドシャフト１７の端部にボス１７ａを形成する。このボス１７ａは円筒状の単純形状であるため、硬化処理が施された後の素材であっても成形が容易である。一方、前記ガイドシャフト１７のボス１７ａが圧入されるボス孔２５ａの形成された終端部材２５は、段部２５ｂが形成されており、この段部２５ｂから軸表面に貫通するネジ孔２５ｃが形成されている。
【００２３】
前記終端部材２５の素材は、キャリアブロック２１のブラケット２１ａ・２１ｂ・２１ｃが介在しない部分であるので、ガイドシャフト１７より硬度の低いものでよく、例えば、真鍮などの金属あるいは硬質合成樹脂などを採用する。これにより、特に前記ネジ孔２５ｃを形成するためのタッピング処理が容易となる。
【００２４】
このように形成された終端部材２５のボス孔２５ａにガイドシャフト１７のボス１７ａを圧入することにより、強固にボス結合して一体化することがてきる。このとき、必要に応じてガイドシャフト１７と終端部材２５の接合面に接着剤を塗布したり、溶接などの処理を施すことにより接合強度を向上することができる。
【００２５】
図７は、本発明の第２実施例を示すもので、終端部材２５にボス２５ｄを形成する一方、このボス２５ｄを圧入するボス孔１７ｂをガイドシャフト１７に形成する。この場合においても、ガイドシャフト１７には予め焼入れなどにより硬化処理を施したものを採用するが、ボス孔１７ｂは円形の単純形状であるため、ドリル加工などで容易に形成することができる。このように形成された終端部材２５のボス２５ｄはガイドシャフト１７のボス孔１７ｂに圧入され、第１実施例と同様に一体化される。
【００２６】
図８および図９は、第１実施例および第２実施例にもとづき完成されたガイドシャフト１７をベースフレーム２３に配設した状態を示すもので、図４に示すようにベースフレーム２３に形成した通孔２３ａから調整ネジ２７を差し込んで終端部材２５の段部２５ｂに形成したネジ孔２５ｃに螺入し、ベースフレーム２３と前記段部２５ｂとの間にコイルバネ２６を介在させた状態を示す。
【００２７】
これにより、ガイドシャフト１７の取付状態は、図１２に示した状態と同等の簡素な構成となり、ディスクＤに損傷を与えない取付構造とすることができる。しかも、終端部材２５にボス結合されたガイドシャフト１７は硬化処理が施されたものとなるので、キャリアブロック２１によるシーク負荷に対し安定性が保たれ、耐久性を向上することができる。
【００２８】
このように構成された本発明のガイドシャフト１６・１７は、図３および図５に示すようにキャリアブロック２１のブラケット２１ａ・２１ｂ・２１ｃを摺動可能に支持して並行状態で配設される。かかる配設構造では、ガイドシャフト１６の一端を枠部材１５の嵌入孔１５ｃに差し込んで固定し、他端は調整ネジ２７により高さ調整可能にベースフレーム２３に固定される。また、ガイドシャフト１７の両端はそれぞれ調整ネジ２７により高さ調整可能にベースフレーム２３に固定される。したがって、前記３箇所の調整ネジ２７によりベースフレーム２３の高さ位置および傾きの調整が可能となる。
【００２９】
以上で説明したように、本発明では硬化処理を施したガイドシャフトの採用が可能となるようにしたもので、これは終端部材のボス結合により実現される。したがつて、ガイドシャフトは特定の素材に限定されることなく、耐摩耗性、加工容易性などを配慮し、ガイドシャフトに適する素材を任意に選択することができる。なお、硬化処理について、焼入れを例示的に記載したが、このような加熱処理法に拘わらず浸炭法、窒化法などで硬化処理されたものでもよく、その手段は限定されるものではない。
【産業上の利用可能性】
【００３０】
本発明は、光ピックアップを保持したキャリアブロックのシーク動作をガイドシャフトで支持して行うようにしたディスク装置であれば実施することができ、ドロワ方式、スロットイン方式の何れにも広範に採用することが可能である。
【図面の簡単な説明】
【００３１】
【図１】本発明を実施したディスク装置の外観を示す斜視図である。
【図２】図１の構造を説明するための斜視図である。
【図３】図１のディスクトレイの底面の機構要素を示す図である。
【図４】本発明の要部の構成を示す分解斜視図である。
【図５】本発明の要部の組立状態を示す図である。
【図６】本発明の第１実施例の構成を説明する分解斜視図である。
【図７】本発明の第２実施例の構成を説明する分解斜視図である。
【図８】本発明の第１実施例の組立状態を示す断面図である。
【図９】本発明の第２実施例の組立状態を示す断面図である。
【図１０】従来のガイドシャフトの固定構造を示す断面図である。
【図１１】従来のガイドシャフトの固定構造を示す断面図である。
【図１２】従来のガイドシャフトの固定構造を示す断面図である。
【符号の説明】
【００３２】
１・・・・・・ディスク装置
２・・・・・・ディスクトレイ
３・・・・・・スピンドルモータ
４・・・・・・ターンテーブル
５・・・・・・クランプヘッド
６・・・・・・ビームレンズ
７・・・・・・ベゼル
８・・・・・・押釦
９・・・・・・ガイドレール
１０・・・・・シャーシケース
１１・・・・・ベースシャーシ
１２・・・・・カバーシャーシ
１３・・・・・支持レール
１４・・・・・支持板
１５・・・・・枠部材
１６・・・・・ガイドシャフト
１７・・・・・ガイドシャフト
１７ａ・・・・ボス
１７ｂ・・・・ボス孔
１８・・・・・スクリューシャフト
１９・・・・・ギヤトレイン
２０・・・・・スレッドモータ
２１・・・・・キャリアブロック
２２・・・・・ナット部材
２３・・・・・ベースフレーム
２５・・・・・終端部材
２５ａ・・・・ボス孔
２５ｂ・・・・段部
２５ｃ・・・・ネジ孔
２５ｄ・・・・ボス
２６・・・・・コイルバネ
２７・・・・・調整ネジ
【図１】
2007115378.tif 000003
【図２】
2007115378.tif 000004
【図３】
2007115378.tif 000005
【図４】
2007115378.tif 000006
【図５】
2007115378.tif 000007
【図６】
2007115378.tif 000008
【図７】
2007115378.tif 000009
【図８】
2007115378.tif 000010
【図９】
2007115378.tif 000011
【図１０】
2007115378.tif 000012
【図１１】
2007115378.tif 000013
【図１２】
2007115378.tif 000014